(57)【特許請求の範囲】
【請求項１】
水素（Ｈ）と炭素（Ｃ）との原子比Ｈ／Ｃが３〜４である炭化水素からなる原料ガスまたは原子比Ｈ／Ｃが２〜３である炭化水素をプレリフォーマーで処理した原料ガスを、圧力が１５〜４０Ｋｇ／ｃｍ2−Ｇ、触媒出口温度が７００℃〜８５０℃、水蒸気（Ｓ）と原料ガス中の炭素のモル比Ｓ／Ｃが２．５〜４．０の条件下での一次改質、及び圧力が１５〜４０Ｋｇ／ｃｍ2−Ｇ、触媒出口温度が９５０℃〜１０００℃で、純度９５％以上の酸素を用いる二次改質に付して水素、一酸化炭素及び二酸化炭素のモル％の関係（Ｒ）が次の式
Ｒ＝（Ｈ2モル％−ＣＯ2モル％）／（ＣＯモル％＋ＣＯ2モル％）
により計算して２．２〜２．５である合成ガスを取得し、次いで該合成ガスを圧力４０〜１００Ｋｇ／ｃｍ2−Ｇ、触媒温度２１０〜３００℃のメタノール合成に付してメタノールを製造する方法であって、該一次改質は燃焼型水蒸気改質と熱交換型水蒸気改質とからなり、硫黄分を除去された該原料ガスに水蒸気をＳ／Ｃが２．５〜４．０になるよう混合した原料混合ガスを該燃焼型水蒸気改質及び該熱交換型水蒸気改質に１対３〜３対１の割合で供給し、該燃焼型水蒸気改質は、該硫黄分が除去された原料ガスの一部およびメタノール合成ループにおいて蓄積するイナート成分を除去するために発生する合成パージガスを燃焼させて得られる燃焼ガスを加熱源として実施し、該燃焼型水蒸気改質から排出される燃焼ガスを該燃焼型水蒸気改質へ導入される該原料混合ガスと熱交換させて該原料混合ガスを加熱し、一方該熱交換型水蒸気改質は、該原料混合ガスを該二次改質からの該合成ガスと、熱交換させて加熱することにより実施し、かつ該メタノール合成における反応熱の回収により発生したスチームを該一次改質へ供給される該原料ガスと混合するための水蒸気として用いることを特徴とするメタノールの製造方法。
【請求項２】
原料ガスの一部と合成パージガスとに加えて、メタノール合成から排出されるメタノールを常圧に減圧することにより放出される、その中に溶解していた合成ガスを燃焼させて該燃焼ガスを得る請求項１に記載の方法。
【請求項３】
メタノール合成から排出され、スチーム発生により熱回収された後の、メタノールおよび未反応合成ガスからなる流出ガスを、メタノール合成に導入される合成ガスと熱交換させて該合成ガスを加熱する請求項１に記載の方法。
【請求項４】
該二次改質から該熱交換型水蒸気改質における熱交換を経て取り出される合成ガスを、メタノール合成において熱回収に用いられるスチーム発生用水を熱交換して冷却する請求項１に記載の方法。
【発明の詳細な説明】
【０００１】
【発明の属する技術分野】
この発明は、天然ガスを主成分とする原料ガスを一次改質及び二次改質に付して、水素と一酸化炭素及び二酸化炭素を含む合成ガスに転換し、この合成ガスからメタノ−ルを製造する方法に関するものである。
【０００２】
【従来の技術】
水素と酸化炭素からメタノ−ルを製造する方法は、次の２つの反応から成立っている。
【０００３】
ＣＯ＋２Ｈ2＝ＣＨ3ＯＨ
ＣＯ2＋３Ｈ2＝ＣＨ3ＯＨ＋Ｈ2Ｏ
従ってメタノ−ルを合成する際、下記の式により計算したＣＯ、ＣＯ2及びＨ2のモル％間の関係（Ｒ）は、２．０の場合が化学量論比となる。
【０００４】
Ｒ＝（Ｈ2モル％−ＣＯ2モル％）／（ＣＯモル％＋ＣＯ2モル％）
そのために、メタノ−ル合成に要求されるこの化学量論的組成に非常に近いかまたは等しい組成、即ちＲ＝２．０となる組成の合成ガスを製造するべきであるという考え方が一般的である。
【０００５】
従来方法として、例えば、特公昭５５−４６９６１号公報は供給原料を２つの流れに分け、その１つの流れを通常の水蒸気改質に付し、この流出ガスともう１つの流れとを合流させて、酸素を用いて二次改質に付し、メタノ−ル合成に好適な化学量論的組成（Ｒ＝２．０）を有する合成ガスをつくる方法を、また特開平２−３６１４号公報は、この酸素を用いる二次改質の生成物のエンタルピ−を水蒸気による一次改質の熱源とする方法を提案している。
【０００６】
しかしながら、上記従来方法のように、Ｒ＝２．０にしようとすれば合成ガス圧縮のエネルギ−が節減されるという効果はあるものの、酸素の消費量増大によるエネルギ−の損失が大きくなる等の問題がある。
【０００７】
また、上記の従来方法の問題を解決する方法として特開昭６０−４１４０号公報は天然ガスを原料とし、一次水蒸気改質、二次酸素燃焼改質によってメタノ−ル合成ガスを製造するプロセスにおいて、Ｒ＝２．２〜２．５の組成となるように一次改質条件、二次改質条件、酸素供給量等を設定することによって酸素製造、合成ガス製造、メタノ−ル合成というプラント全体のエネルギ−効率がＲ＝２．０の場合より大となることを示している。
【０００８】
しかしながら、この方法は一次水蒸気改質に使用している燃焼型水蒸気改質炉の製作限界の問題、１，０００本を越えるような多数の反応管に均一に原料を配分するための信頼性の問題点を有している。
【０００９】
更に、上記の特開平２−３６１４号公報の方法では、プロセス系内に合成ル−プからのパ−ジガスを燃料として有効に処分する燃焼系がないため、新規にガスタ−ビンを設置し、システムの効率維持を図るための大規模な設備投資が必要である。また、この方法は、場合によっては、電力の外送等の手段を講じて余剰の熱を外部に売却しなければその効率が保てない等の問題点を有している。
【００１０】
【発明が解決しようとする課題】
天然ガスからメタノ−ルを製造するプラントは、近年、燃料メタノ−ル製造のため大型化の様相を呈してきているメタノ−ルプラント建設において、経済性を加味したコストの低減化とともにメタノ−ル合成プラント全体のエネルギ−効率を更に向上させることが要求されている。
【００１１】
したがって、本発明の目的は、メタノール合成ガスの製造をも含めてメタノール合成プラント全体のエネルギー効率が改善されるメタノールの製造方法を提供することにある。
【００１２】
【課題を解決するための手段】
発明者等は、上記の従来技術が有する問題点を解消すべく鋭意検討した結果、次に記載する方法によりプラント全体のエネルギ−効率が更に大幅に向上することを見出した。
【００１３】
この発明によるメタノールの製造方法は、水素（Ｈ）と炭素（Ｃ）との原子比Ｈ／Ｃが３〜４である炭化水素からなる原料ガスまたは原子比Ｈ／Ｃが２〜３である炭化水素をプレリフォーマーで処理した原料ガスを、圧力が１５〜４０Ｋｇ／ｃｍ2−Ｇ（ゲージ）、触媒出口温度が７００℃〜８５０℃、水蒸気（Ｓ）と原料ガス中の炭素のモル比Ｓ／Ｃが２．５〜４．０の条件下での一次改質、及び圧力が１５〜４０Ｋｇ／ｃｍ2−Ｇ、触媒出口温度が９５０℃〜１０００℃で、純度９５％以上の酸素を用いる二次改質に付して水素、一酸化炭素及び二酸化炭素のモル％の関係（Ｒ）が次の式
Ｒ＝（Ｈ2モル％−ＣＯ2モル％）／（ＣＯモル％＋ＣＯ2モル％）
により計算して２．２〜２．５である合成ガスを取得し、次いで該合成ガスを圧力４０〜１００Ｋｇ／ｃｍ2−Ｇ、触媒温度２１０〜３００℃のメタノール合成に付してメタノールを製造する方法であって、該一次改質は燃焼型水蒸気改質と熱交換型水蒸気改質とからなり、硫黄分を除去された該原料ガスに水蒸気をＳ／Ｃが２．５〜４．０になるよう混合した原料混合ガスを該燃焼型水蒸気改質及び該熱交換型水蒸気改質に１対３〜３対１の割合で供給し、該燃焼型水蒸気改質は、該硫黄分が除去された原料ガスの一部およびメタノール合成ループにおいて蓄積するイナート成分を除去するために発生する合成パージガスを燃焼させて得られる燃焼ガスを加熱源として実施し、該燃焼型水蒸気改質から排出される燃焼ガスを該燃焼型水蒸気改質へ導入される該原料混合ガスと熱交換させて該原料混合ガスを加熱し、一方該熱交換型水蒸気改質は、該原料混合ガスを該二次改質からの該合成ガスと、熱交換させて加熱することにより実施し、かつ該メタノール合成における反応熱の回収により発生したスチームを該一次改質へ供給される該原料ガスと混合するための水蒸気として用いることを特徴とするものである。
【００１４】
【発明の実施の形態】
この発明において用いられる原料ガスは、原子比Ｈ／Ｃが３〜４の炭化水素ガス、例えばメタンを主成分とする天然ガス、あるいは原子比Ｈ／Ｃが２〜３の、ナフサのような液状炭化水素を、よく知られているように、プレリフォーマーにおいて、例えば酸化ニッケルを主成分とする触媒の存在下、２５０℃〜５５０℃の温度で水蒸気によって予備改質して得られる原子比Ｈ／Ｃが３〜４の炭化水素ガスである。
【００１５】
この発明において、一次改質手段は燃焼型水蒸気改質炉と熱交換型水蒸気改質器から構成し、硫黄分が除去された原料ガスに水蒸気が混合した原料混合ガスは、燃焼型水蒸気改質炉と熱交換型水蒸気改質器のそれぞれに供給される。この供給量を１対３〜３対１の割合に調節することによって、燃焼型水蒸気改質炉ではメタノ−ル合成ル−プで発生する未反応の合成ガス及びフラッシュガスが燃料の大部分として利用可能となる。一方、熱交換型水蒸気改質器では二次改質反応の終了した合成ガスを原料混合ガスとの熱交換のために利用することが可能となった。
【００１６】
また、この発明において、メタノ−ル合成反応器において反応熱により発生されたスチ−ムは一次改質手段へ供給される原料ガスと混合されるので、外部からのスチ−ム供給量を最小限に押さえることが可能となり、プラント内で発生するエネルギ−を有効に利用することができる。
【００１７】
さらに、一次水蒸気改質の所要熱量の１／４〜３／４を二次改質の生成物のエンタルピ−を熱源として利用し、且つ、Ｒ＝２．２〜２．５の組成となるよう酸素供給量を設定して合成のパ−ジガスが一次改質の燃焼型水蒸気改質炉の必要燃料量と概ねバランスするよう調整することにより、一次改質に要する燃料を節減し、且つ酸素の圧縮動力を軽減させることが可能となってプラント全体のエネルギ−効率が１〜２％向上する。
【００１８】
一次水蒸気改質の１／４以下を二次改質の生成物のエンタルピ−を熱源として利用する場合、一次改質に要する燃料の１０％以上の削減は期待できないし、３／４以上の場合では、Ｒ＝２．２〜２．５を実現することが不可能となる。
【００１９】
一次改質の熱交換型水蒸気改質に必要とされる熱は、二次改質の部分燃焼反応によって得られる。この部分燃焼を行うのに必要な酸素量は二次改質反応の終了した合成ガス組成にも影響を与える。
【００２０】
従って、Ｒ＝２．２〜２．５の組成となるよう酸素供給量を設定し、熱交換型水蒸気改質器の負荷を決め、原料混合ガスの配分を決めたとき、メタノール合成からのパ−ジガスが一次改質の燃焼型水蒸気改質炉の必要燃料量と概ねバランスするようＲ値、燃焼型水蒸気改質炉及び熱交換型水蒸気改質器の負荷配分が調整される。
【００２１】
次に、この発明を図１に基づいて詳細に説明する。天然ガスなどの、メタンを主成分とする原料ガスは、ライン１から供給され、燃焼型水蒸気改質炉２２の燃焼ガスの排熱を利用した原料予熱器３６によって脱硫温度である約４００℃まで昇温された後、脱硫器２０に供給されて水蒸気改質触媒の触媒毒である硫黄分を完全に除去する。脱硫された原料ガスは、ライン１８から供給される水蒸気と混合される。このときに、メタノ−ル合成反応器２９で発生した水蒸気が回収されてライン４１からも原料ガスへ混合される。従って、外部からライン１８によって供給される水蒸気は一次改質手段で必要な水蒸気量がライン４１からの水蒸気で不足する分のみを補給すればよいので、従来方法で必要とされた水蒸気量の約７０％を削減することができる。
【００２２】
原料ガスは、水蒸気と混合される前にその一部が燃焼型水蒸気改質炉２２の脱硫された補助燃料としてライン１７を介して燃焼型水蒸気改質炉２２へ供給される。
【００２３】
原料ガスと水蒸気が混合された原料混合ガスは、熱交換型水蒸気改質器２１へはライン３から供給され、燃焼型水蒸気改質炉２２へは混合ガス加熱器３４で約５６０℃まで加熱された後、ライン２を介して供給される。改質器２１へ供給される原料混合ガスと改質炉２２に供給される原料混合ガスとの供給量の割合が１対３から３対１とされる。
【００２４】
図示しないが、熱交換型水蒸気改質器２１へ供給されるライン３の原料混合ガスは、ライン４２を介して供給される燃焼後のガスの保有熱に余裕があれば混合ガス加熱器３４で加熱した後に燃焼型水蒸気改質炉２２への供給ライン２から分岐させて、熱交換型水蒸気改質器２１へ供給してもよいし、ライン３上に別途混合ガス加熱器を設置し、加熱した後に供給してもよい。また、熱交換型水蒸気改質器の改質ガスと熱交換した後に供給してもよい。
【００２５】
燃焼型水蒸気改質炉２２の燃料として、メタノ−ル合成ル−プのパ−ジガスがライン１３、フラッシュガスがライン１５及び補助燃料がライン１７から夫々供給され、また燃焼用空気はライン１９から供給されて低ＮＯｘバ−ナ−により燃焼させられ、水蒸気改質の反応熱が与えられる。燃焼型水蒸気改質炉２２は、ニッケル系の触媒を充填した複数の反応管を並列に設置したものであり、反応管の出口運転条件は圧力１５〜４０Ｋｇ／ｃｍ2−Ｇ、７００℃〜８５０℃、例えば圧力１９．４Ｋｇ／ｃm2−Ｇ、温度８００℃、未改質メタンの残留量は１０．６ドライ・モル％である。
【００２６】
反応熱を管型反応器に与えた燃焼後のガスの温度は約１０００℃であり、このガスは燃焼型水蒸気改質炉２２からライン４２を介して混合ガス加熱器３４、ボイラ−水予熱等の熱回収設備３５及び原料予熱器３６等で更に排熱が回収される。
【００２７】
一方、ライン３から熱交換型水蒸気改質器２１に供給された原料混合ガスは、二次改質器２３からライン７へ取出された温度９５０〜１０００℃の合成ガスとの熱交換によって反応熱が与えられる。熱交換型水蒸気改質器２１の原料混合ガスは、ニッケル系触媒が充填された管側を通す。管側の出口運転条件は、例えば圧力１９．４Ｋｇ／ｃm2−Ｇ、温度８２０℃、未改質メタンの残留量は９．５ドライ・モル％である。
【００２８】
夫々の水蒸気改質反応において、約５〜１５％程度の未改質メタンを含む合成ガスは、ライン４及びライン５から二次改質器２３へ供給されて未改質メタンが改質される。二次改質器２３には、空気分離器３３を介して９５〜９９％濃度の酸素がライン６から供給される。酸素の供給量は、二次改質器２３出口の合成ガスの組成である水素、一酸化炭素及び二酸化炭素のモル％間の関係（Ｒ）が次式により計算して２．２〜２．５となるように調整される。
Ｒ＝（Ｈ2モル％−ＣＯ2モル％）／（ＣＯモル％＋ＣＯ2モル％）
二次改質器２３の出口運転条件は圧力１５〜４０Ｋｇ／ｃｍ2−Ｇ、温度９５０℃〜１０００℃、例えば圧力１９．０Ｋｇ／ｃm2−Ｇ、温度９５０〜１０００℃、未改質メタンの残留量は０．４ドライ・モル％である。ライン７を通して熱交換型改質器２１のシェル側に供給されて水蒸気改質の反応熱を供給した合成ガスは、ライン８を介してボイラ−水予熱等の熱回収設備２４に供給された後、冷却器２５で水分が凝縮され、次に凝縮水分離器２６で凝縮水が分離される。
【００２９】
ライン９から合成ガス圧縮機２７へ供給された合成ガスは、４０〜１００Ｋｇ／ｃｍ2−Ｇ、例えば１００Ｋｇ／ｃm2−Ｇまで昇圧される。昇圧された合成ガスは、メタノ−ル合成反応器２９へライン１０を介して供給されるが、メタノ−ル合成反応器２９へ供給される前に、メタノ−ル分離器３１からライン１４へ取出された未反応の合成ガスと混合された後、メタノ−ル合成反応器２９からライン１１へ取出された合成ガスと熱交換されて２１０〜２４０℃まで昇温される。
【００３０】
メタノ−ル合成反応は、よく知られたように、例えば圧力４０〜１００Ｋｇ／ｃm2−Ｇ、温度２１０〜３００℃の条件下で行われる。この際、ボイラ−水をライン４０からメタノ−ル合成反応器２９に供給して、反応熱をライン４１から水蒸気として回収する。この水蒸気は改質用スチ−ムとして使用される。
【００３１】
メタノ−ル合成反応器２９からの約７％の生成メタノ−ルを含む合成ガスはライン１１を介して取出され、メタノ−ル合成反応器２９へ供給される合成ガスと熱交換された後、凝縮器３０で生成メタノ−ルを凝縮させてメタノ−ル分離器３１で凝縮粗メタノ−ルが未反応の合成ガスと分離されるが、未反応の合成ガスの大部分は、循環圧縮機２８を通してメタノール合成ガス反応器２９へ循環され、その残部は蓄積するイナート成分を除去するためにのパ−ジガスとしてライン１３から燃焼型水蒸気改質炉２２へ供給されて燃料として有効利用される。合成ル−プ内に不活性なメタンおよび窒素が多量に蓄積すると、メタノ−ル合成反応器２９内の水素、一酸化炭素、二酸化炭素の分圧を下げるので、この循環ル−プより適当量のパ−ジを行うことによってメタノ−ル合成効率の低下を防止する。
【００３２】
メタノ−ル分離器３１で分離されたライン１２の粗メタノ−ル中には高圧で溶解しているガス成分があるので、レッドダウンドラム３２で減圧フラッシュして溶解しているガス成分をライン１５へ取出し、このフラッシュガスも燃焼型改質炉２２の燃料として利用する。
【００３３】
一方、溶解ガスが除去された粗メタノ−ルはライン１６からメタノ−ル精製設備へ供給される。
【００３４】
【実施例】
以下、この発明をメタノ−ル日産１０，０００トンのプラント設計の実施例ならびに比較例により詳細に説明する。
【００３５】
実施例１
下記組成の天然ガスを原料とし、一次改質装置として、燃焼型水蒸気改質炉と熱交換型水蒸気改質器を設置し、二次改質には空気分離器から得た酸素を利用した。合成ガス中のＣＯ2、ＣＯ及びＨ2のモル％間の関係（Ｒ）が２．５となるようにプロセス設計パラメ−タ−を調整し、以下の条件で設計合成ガスの製造及びメタノールの合成を行った。
【００３６】
物質収支を表１に示した。縦欄は図１に示された各ラインの番号を表し、横欄は各ラインを流れる物質の圧力、温度、流量及び組成を表す。
【００３７】
【表１】
0004033988.tif 000002
プラント全体のエネルギ−効率は表６に示す通り、総括的なエネルギー原単位（Ｇ（ギガ）ｃａｌ／トン−メタノ−ル）は、６．６９２であった。
【００３８】
ＣＨ4                   ９８．５０モル％
Ｃ2Ｈ6                    １．００モル％
Ｃ3Ｈ8                    ０．５０モル％
一次改質への分配率
燃焼型水蒸気改質炉      ５４．４％
熱交換型水蒸気改質器    ４５．６％
燃焼型水蒸気改質器の触媒組成
Ｎｉ                ２０±２ｗｔ％
Ａｌ2Ｏ3          ７２〜７５ｗｔ％
ＣａＯ            ＜０．１０ｗｔ％
ＴｉＯ2           ＜０．０５ｗｔ％
ＳｉＯ2           ＜０．０１ｗｔ％
二次改質器へ供給した酸素
流量                ７３，１８６Ｎｍ3／時
純度                ９９．０％
二次改質器
Ｒ＝（Ｈ2−ＣＯ2）／（ＣＯ＋ＣＯ2）＝２．５０
使用触媒組成
上部耐熱触媒
Ｃｒ2Ｏ3              ６±２ｗｔ％
Ａｌ2Ｏ3          ９５〜９７ｗｔ％
ＣａＯ            ＜０．１０ｗｔ％
ＴｉＯ2           ＜０．０５ｗｔ％
ＳｉＯ2           ＜０．１０ｗｔ％
下部改質触媒
Ｎｉ                １６±１ｗｔ％
Ａｌ2Ｏ3          ９５〜９７ｗｔ％
ＣａＯ            ＜０．１０ｗｔ％
Ｔｉ              ＜３．００ｗｔ％
ＳｉＯ2           ＜０．２０ｗｔ％
メタノ−ル反応器
使用触媒組成
ＣｕＯ            ２０〜５０ｗｔ％
ＺｎＯ            １５〜６０ｗｔ％
Ａｌ2Ｏ3            ５〜３０ｗｔ％
ＭｇＯ            ０．２〜７ｗｔ％
触媒層温度        ２４０〜２６０℃
実施例２
下記組成の天然ガスを原料とし、その他は実施例１と同様の条件で行った。物質収支を表２に示した。
【００３９】
プラント全体のエネルギ−効率は表６に示す通り、総括的なエネルギー原単位（Ｇｃａｌ／トン−メタノ−ル）は、６．７１４であった。従来法の比較例２に比べ、１．４０％の向上となった。更に、比較例２に比べて燃焼型改質炉必要燃料、正味天然ガス燃料消費量が低減された。
【００４０】
天然ガス組成
ＣＨ4                 ９５．６０モル％
Ｃ2Ｈ6                  ３．３９モル％
Ｃ3Ｈ8                  ０．０９モル％
Ｃ4Ｈ10                 ０．０３モル％
Ｃ5Ｈ12                 ０．０１モル％
Ｃ6Ｈ14+                ０．１４モル％
Ｎ2                     ０．２６モル％
ＣＯ2                   ０．４７モル％
Ｈ2 Ｏ                  ０．０１モル％
一次改質手段への分留率
燃焼型水蒸気改質炉    ５８．７％
熱交換型水蒸気改質器  ４１．３％
【００４１】
【表２】
0004033988.tif 000003
実施例３
実施例２と同じ組成の天然ガスを原料として、合成ガス中のＣＯ2、ＣＯ及びＨ2間のモル％間の関係（Ｒ）が２．２５となるように調整し、その他は実施例１と同様の条件で行った。物質収支を表３に示した。
【００４２】
一次改質手段への分留率
燃焼型水蒸気改質炉    ３０．６％
熱交換型水蒸気改質器  ６９．４％
プラント全体のエネルギ−効率は表６に示す通り、総括的なエネルギー原単位（Ｇｃａｌ／トン−メタノ−ル）は、６．７１１であった。従来法の比較例２に比べ、１．４５％の向上となった。更に、比較例２に比べて燃焼型改質炉必要燃料、正味天然ガス燃料消費量が低減された。
【００４３】
【表３】
0004033988.tif 000004
比較例１
実施例２と同じ組成の天然ガスを原料として、合成ガス中のＣＯ2、ＣＯ及びＨ2間のモル％間の関係（Ｒ）が２．０となるように調整し、その他は実施例１と同様の条件で行った。物質収支を表４に示した。
【００４４】
一次改質手段への分配率
燃焼型水蒸気改質炉      ４．１％
熱交換型水蒸気改質器  ９５．９％
【００４５】
【表４】
0004033988.tif 000005
プラント全体のエネルギ−効率は表６に示す通り、総括的なエネルギー原単位（Ｇｃａｌ／トン−メタノ−ル）は、６．８４８であった。従来法の比較例２に比べ、０．５７％悪化となり、、実施例１、実施例２および比較例２に比べて必要酸素量、総所要動力が増大した。
【００４６】
比較例２
一次改質手段は、燃焼型水蒸気改質炉のみを使用する従来方法で行い、原料は実施例２と同じ組成の天然ガスを原料として合成ガス中のＣＯ2、ＣＯ及びＨ2間のモル％間の関係（Ｒ）が２．５となるように調整し、その他は実施例１と同様の条件で行った。物質収支を表５に示した。
【００４７】
【表５】
0004033988.tif 000006
プラント全体のエネルギ−効率は表６に示す通り、総括的なエネルギー原単位（Ｇｃａｌ／トン−メタノ−ル）は６．８０９であった。しかしながら、ここではプロセスからの熱回収量が回転機の総所要動力量を大きく上回るため、系外へエネルギ−を売却できる環境になければ、ここで示す原単位の達成に寄与できない。
【００４８】
【表６】
0004033988.tif 000007
表６に示す通り、メタノ−ル合成において化学量論比（Ｒ＝２．０）といわれるＣＯ2、ＣＯ及びＨ2間のモル比となる合成ガスを製造することが必ずしもメタノ−ルプラントの総括的なエネルギ−効率を最適にするものではないことが明らかとなった。即ち、Ｒが小さくなるほど必要酸素量が増大し、それに応じて空気分離装置に空気を供給するための空気圧縮機所要動力及び当該酸素圧縮機所要動力が増大する。
【００４９】
換言すれば、合成メ−クアップガス圧縮機の所要動力は、化学量論比に近いほど低減されるが、空気圧縮機及び酸素圧縮機の所要動力を合わせて総動力消費量として考えれば、その低減分を超えて総動力消費量として増大するのみである。
その結果、プロセス熱回収も含めた総括的なエネルギ−効率として原料及び燃料天然ガスの所要量が低減する分も更に相殺され、逆に効率が悪化の方向に転じることが明らかになった。その分岐点は、Ｒが２．２５付近であることを見出した。
【００５０】
Ｒを２．０付近にすると一次水蒸気改質は、実質的に熱交換型改質器のみで賄えるようになるが、熱交換型改質器をスタ−トするためのスタ−トアップヒ−タ−が必要となり、過剰に必要な酸素関連装置のコストアップと合わせて設備投資が必要となり、エネルギ−効率的にも投資コスト的にも経済的ではない。
【００５１】
天然ガスのコストに応じ、かつ主に設備費の大きい機器である燃焼型水蒸気改質器、空気分離装置及び大型回転機器類を総じた経済性を考えると、合成ガス中のＣＯ2、ＣＯ及びＨ2間のモル％間の関係（Ｒ）を２．２〜２．５の範囲内に選定し、設計すべきであることを見出した。
【００５２】
【発明の効果】
この発明によれば、メタノール合成ガスの製造を含めた全メタノール製造プロセスのエネルギー効率が従来の方法に比して改善されるとともに、プラント建設費も低減される。
【図面の簡単な説明】
【図１】図１はこの発明のメタノ−ル製造プロセスのフロ−シートである。
【符号の説明】
１〜１９    流体の流れるライン
２０        脱硫器
２１        熱交換型水蒸気改質器
２２        燃焼型水蒸気改質炉
２３        二次改質器
２４        熱回収設備
２５        冷却器
２６        凝縮水分離器
２７        合成ガス圧縮機
２８        合成ガス循環器
２９        メタノ−ル合成反応器
３０        凝縮器
３１        メタノ−ル分離器
３２        レットダウンドラム
３３        空気分離器
３４        混合ガス加熱器
３５        熱回収設備
３６        原料予熱器
４０〜４２  流体の流れるライン
【図１】
0004033988.tif 000008